(57)【要約】【課題】健常者から、床ずれ予防、治療を要する患者に至るまで使用者に合わせて反発性を調整することのできる、敷物装置を提供する。【解決手段】下層３と中間層４と上層５とを表地６で被覆する構成とする。前記下層３は前記載置台２全体に乗せる寸法を有し、衝撃緩和を目的として、柔軟さと底突きしない適度な剛性を併せ持つ例えばポリエステル繊維で構成する。前記中間層４は、分割片４ａ〜４ｅで構成し、これら分割片４ａ〜４ｅは、様々な反発性の素材で構成したものを備えており、使用者に対応して、入れ替えて局所的に異なる体圧に対応して固さを調整し、寝姿勢保持と体圧分散性をもたらすようにする。前記上層５は、前記下層３，および中間層４に比較して厚さが薄く、反発性も最も低い素材（例えばウレタンフォーム材）で構成する。【選択図】　　　　　　　図１
2004049352.tif 000002
【特許請求の範囲】
【請求項１】
下層と中間層と上層とで構成し、前記下層は衝撃緩和用素材で構成し、前記中間層は、寝姿勢保持と体圧分散性をもたらすための固さを有する素材で構成し、前記上層は厚さが前記下層および中間層に比較して薄く、且つ低反発性の素材で構成して、これら下層と中間層と上層とを表地で被覆する構成としたことを特徴とする敷物装置。
【請求項２】
前記中間層は、複数の分割片で構成し、これら分割片は、それぞれ異なる反発性の素材で構成したものを有して、それぞれ選択的に交換して中間層として構成可能としたことを特徴とする請求項１記載の敷物装置。
【請求項３】
前記中間層は、複数の分割片で構成し、これら分割片は、同様の反発性を有する素材で構成したもの、および機械的加工を施して反発性を相違させたものとを有し、それぞれ選択的に交換して中間層として構成可能としたことを特徴とする請求項１記載の敷物装置。
【請求項４】
前記中間層における、肩甲骨周辺や、仙骨周辺に対応する箇所に、反発性を相違させるための機械的加工を施したことを特徴とする請求項１記載の敷物装置。
【請求項５】
前記下層と中間層と上層とを、互いに接着するようにしたことを特徴とする請求項１ないし４記載のうち、いずれか１記載の敷物装置。
【請求項６】
前記下層と中間層と上層とを、外枠体により一体的に外周部を取り囲んで保持するようにしたことを特徴とする請求項１ないし５記載のうち、いずれか１記載の敷物装置。
【請求項７】
前記表地の内側に、前記下層、中間層、上層をそれぞれ個々に装入して保持するための収容室を設けたことを特徴とする請求項１ないし４記載のうち、いずれか１記載の敷物装置。
【請求項８】
前記分割片を個々に収容する収容袋を有し、この収容袋に分割片を収容した状態で、それぞれ選択的に交換して中間層として構成可能としたことを特徴とする請求項２または３記載の敷物装置。
【請求項９】
前記表地は、伸縮性を兼ね備えた防水性の布部材で構成したことを特徴とする請求項１、７記載の敷物装置。
【発明の詳細な説明】
【０００１】
【発明の属する技術分野】
本発明は、健常者には、より快適な敷物装置を提供すると共にかかる健常者から、床ずれ予防、治療を要する患者に至るまで使用者に合わせて反発性を調整することのできる、敷物装置に関するものである。
【０００２】
【従来の技術】
高齢化社会に突入した現在、寝たきり等の入院患者数の増加と共に、褥瘡（じょくそう：床ずれ）発生の危険の高い患者が増加している。
以前、本出願人は、褥瘡対策を施したマットレスとして例えば特開平１１−１３７６１３号を提案している。この場合のマットレスでは、二層構造としており、通常使用対応の、比較的硬質素材で構成した第１マットレス（図示省略）と、床ずれ対策を施した例えば軟質な低反発ウレタンを用いた第２マットレス（図示省略）とを積層すると共に、これら第１マットレスと第２マットレスとを、表地に一体収容する構成としている。
前記マットレスによれば、床ずれ予防、治療を要する患者のみならず、健常者用のマットレスとしても使うことができるものとなっている。
また最近、本出願人は、ベッド上に限らず、和室に敷いた布団での使用も可能とした敷物を提案している。
かかる敷物によれば、病院内に限らず、在宅においても、より褥瘡の発生予防に効果を発揮するものであるので、高齢化社会に呼応した有効な褥瘡対策であるといえる。
【０００３】
【発明が解決しようとする課題】
このように、上記敷物は、床ずれ予防、治療を要する患者用としてのものであるので、広く健常者から患者、老人が使えるような敷物は未だ見受けられない。そのためには、使用者個々の好み、あるいは傷病状況に応じるには、前記敷物の固さの調整がきくようにすることで達成可能であると考えられる。
本発明はこのような背景から提案されたものであって、健常者には、より快適な敷物装置を提供すると共にかかる健常者から、床ずれ予防、治療を要する患者に至るまで使用者に合わせて反発性を調整することのできる、敷物装置を提供することを目的とする。
【０００４】
【課題を解決するための手段】
前記した課題を解決するために、本発明では、請求項１において、下層と中間層と上層とで構成し、前記下層は衝撃緩和用素材で構成し、前記中間層は、寝姿勢保持と体圧分散性をもたらすための固さを有する素材で構成し、前記上層は厚さが前記下層および中間層に比較して薄く、且つ低反発性の素材で構成して、これら下層と中間層と上層とを表地で被覆する構成とした敷物装置を提案する。
また本発明では、請求項２において、前記中間層は、複数の分割片で構成し、これら分割片は、それぞれ異なる反発性の素材で構成したものを有して、それぞれ選択的に交換して中間層として構成可能とした敷物装置を提案する。
また本発明では、請求項３において、前記中間層は、複数の分割片で構成し、これら分割片は、同様の反発性を有する素材で構成したもの、および機械的加工を施して反発性を相違させたものとを有し、それぞれ選択的に交換して中間層として構成可能とした敷物装置を提案する。
また本発明では、請求項４において、前記中間層における、肩甲骨周辺や、仙骨周辺に対応する箇所に、反発性を相違させるための機械的加工を施した敷物装置を提案する。
また本発明では、請求項５において、前記下層と中間層と上層とを、互いに接着するようにした敷物装置を提案する。
また本発明では、請求項６において、前記下層と中間層と上層とを、外枠体により一体的に外周部を取り囲んで保持するようにした敷物装置を提案する。
また本発明では、請求項７において、前記表地の内側に、前記下層、中間層、上層をそれぞれ個々に装入して保持するための収容室を設けた敷物装置を提案する。
また本発明では、請求項８において、前記分割片を個々に収容する収容袋を有し、この収容袋に分割片を収容した状態で、それぞれ選択的に交換して中間層として構成可能とした敷物装置を提案する。
さらに本発明では、請求項９において、前記表地は、伸縮性を兼ね備えた防水性の布部材で構成した敷物装置を提案する。
【０００５】
請求項１によれば、使用者がマットレス上の表地に乗っても、衝撃緩和用素材で構成した下層で乗ったときの衝撃が吸収され、また中間層によって、偏荷重のかかる背中の体圧を好適に分散すると共に、体圧が分散されることで、寝姿勢保持が図られる。さらに、低摩擦性の素材で構成した上層によって、触感に違和感はなく、快適性の高いものとすることができる。
【０００６】
請求項２によれば、中間層を、異なる反発性の素材よりなる、複数の分割片で構成したことで、広く健常者から床ずれ対策を要する患者まで、その使用者に対応した、反発性を調整することができ、いっそう効果的な体圧分散、および寝姿勢の保持が図られる。
【０００７】
請求項３によれば、中間層を、同様の反発性を有する素材で構成した分割片と、機械的加工を施して反発性を相違させた分割片とを、選択的に交換して中間層として構成し、健常者から床ずれ対策を要する患者まで使用者に対応した、反発性を調整することができる。
【０００８】
請求項４によれば、中間層において、肩甲骨周辺や、仙骨周辺に対応する箇所の反発性を緩和し、人体の肩甲骨周辺や、仙骨周辺からの体圧を受け止め、体圧を好適に分散することができる。
【０００９】
請求項５によれば、下層と中間層と上層とを、互いに接着して表地で覆ったことで、一体感あるマットレスとして使用することができ、取扱い性が向上する。
【００１０】
請求項６によれば、下層と中間層と上層とを、外枠体により一体的に外周部を取り囲んで保持して、表地で覆う構成としたことにより、取扱い性が向上する。
【００１１】
請求項７によれば、表地の内側に、下層、中間層、上層をそれぞれの所定の収容室に装入して保持するようにしたので、それぞれの層を適宜、交換する作業が簡単である。
【００１２】
請求項８によれば、収容袋に分割片を収容した状態で、それぞれ選択的に交換して中間層として構成し、敷物装置を使用者に対応した反発性に調整することができる。
【００１３】
請求項９によれば、表地内に収容した下層、中間層および上層に、外部からの水分、汚れ等が侵入するのを遮断して、感染予防に寄与することができ、且つ清拭等、清掃も容易である。
【００１４】
【発明の実施の態様】
以下、本発明にかかる敷物装置につき、一つの実施の態様を示し、添付の図面に基づいて説明する。
図１に敷物装置１を示す。この敷物装置１は、載置台２上に載置するようにした、下層３と中間層４と上層５とで構成し、これら下層３と中間層４と上層５とを表地６で被覆する構成としている。
【００１５】
前記載置台２は、通常のベッド本体に相当するもので、ベッドフレームと同等の寸法を有し、四隅に配置した支持脚７を有している。これら支持脚７は、前記載置台２を床面から例えば前記敷物装置１の厚さと同等の寸法程度に保持するようにしている。
【００１６】
前記下層３は前記載置台２全体に乗せる寸法を有し、衝撃緩和を目的として、身体の支持、衝撃の緩和といった柔軟さと底突きしない適度な剛性を併せ持つ例えばポリエステル繊維で構成している。なお、かかる下層３には、ポリエステル他、ポリエチレン、ポリプロピレン繊維やこれらの複合繊維によって構成することもできる。
【００１７】
前記中間層４は、例えば５つの短冊状の分割片４ａ，４ｂ，４ｃ，４ｄ，４ｅによって構成しており、これら分割片４ａ〜４ｅは、様々な反発性の素材で構成したものを備えており、使用者に対応して、入れ替えて局所的に異なる体圧に対応して固さを調整し、寝姿勢保持と体圧分散性をもたらすようにしている。
分割片４ａ〜４ｅの素材としては、例えば厚さ３０ｍｍ〜７０ｍｍ、見掛け密度が１０ｋｇ／ｍ３〜１００ｋｇ／ｍ３、圧縮硬さが１０Ｎ〜４００Ｎのウレタンフォーム材を用いることができる。また素材としては、フォームラバーも可能である。
なお、かかる中間層４は、勿論、５つの分割片４ａ〜４ｅに限らず、３つ、あるいは６つ以上に多分割された分割片（図示省略）で構成することもできる。また、前記分割片４ａ〜４ｅを同様の反発性の素材で構成して、適宜機械的加工（例えばプロファイル加工、プレス打ち抜き、くり抜き、熱プレス加工等）を施して、反発性を相違させるようにすることもできる。
【００１８】
前記上層５は、前記下層３，および中間層４に比較して厚さが薄く、反発性も最も低い素材（例えばウレタンフォーム材）で構成している。
【００１９】
そして前記表地６には、伸縮性のある布部材を用いている。また、伸縮性と共に撥水性、または防水性を有する布地を用いることもできる。かかる表地６は長手方向側面側にファスナ（図示省略）を設けて、前記下層３、中間層４および上層５を出し入れ容易に一体収容するようにしている。
【００２０】
以上のような敷物装置１によれば、使用者が敷物装置１上の表地６に乗っても、衝撃緩和用素材で構成した下層３で乗ったときの衝撃が吸収され、また中間層４によって、偏荷重のかかる背中の体圧を好適に分散すると共に、体圧が分散されることで、寝姿勢保持が図られる。さらに、比較的低反発性で、且つ厚さの薄いフォーム部材で構成した上層５によって、触感に違和感はなく、快適性の高いものとすることができる。
【００２１】
ところで前記中間層４は、例えば厚さ３０ｍｍ〜７０ｍｍ、見掛け密度が１０ｋｇ／ｍ３〜１００ｋｇ／ｍ３、圧縮硬さが１０Ｎ〜４００Ｎの範囲のウレタンフォーム材を用いて、反発性を相違させた分割片４ａ〜４ｅを備えているので、健常者は勿論、床ずれ対策を要する患者まで、使用者に対応して、入れ替えて局所的に異なる体圧に対応して固さを調整し、その使用者に対応した、いっそう効果的な体圧分散、および寝姿勢の保持を図ることができる。
【００２２】
なお、敷物装置１の表地６には、伸縮性を有する布地を用いることにより、下層３、中間層４および上層５を弛みなく保持することができ、伸縮性と共に、撥水性、または防水性を有する布地を用いれば、表地６内に収容した下層３、中間層４および上層５に、外部からの水分、汚れ等が侵入するのを遮断して、感染予防に寄与することができ、且つ清拭等、清掃も容易である。
【００２３】
本発明にかかる敷物装置１は、図示は省略するが下層３と中間層４と上層５とを、互いに接着して表地６で覆う構成とすることもできる。
【００２４】
かかる構成とすれば、下層３と中間層４と上層５とがそれぞれずれることはなく、一体感あるマットレスとして使用することができ、取扱い性は勿論、それぞれの機能、すなわち衝撃緩和性、体圧分散性、寝姿勢保持性、触感性が融合した使いやすいものとすることができる。
【００２５】
また本発明にかかる敷物装置１では、図４に示すように下層３と中間層４と上層５とを、外枠体８により一体的に外周部を取り囲んで保持して、表地６で覆う構成とすることもできる。
【００２６】
かかる構成によれば、下層３と中間層４と上層５とが、ずれることなく一体的に保持しやすく、取扱い性は勿論、それぞれの機能が融合した使いやすいマットレスとすることができる。
【００２７】
また本発明にかかる敷物装置１では、図５に示すように表地６の内側に、下層３、中間層４、上層５をそれぞれ出し入れ可能に保持するために、仕切９によって収容室Ｃ３，Ｃ４ａ，Ｃ４ｂ，Ｃ４ｃ，Ｃ４ｄ，Ｃ４ｅ，Ｃ５を構成することもできる。
【００２８】
かかる敷物装置１によれば、いっそう使いやすいし、特に中間層４を構成する分割片４ａ〜４ｅをそれぞれのＣ４ａ〜Ｃ４ｅに出し入れして、それぞれ適宜交換する作業を簡単に行うことができる。
【００２９】
また本発明にかかる敷物装置１では、図６に示すように中間層４を１枚の軟質性素材で構成することもできる。この場合、使用者の身体のうち、体圧がかかる肩甲骨周辺や、仙骨周辺に対応する箇所Ｅ１，Ｅ２に、反発性を調整するためのプロファイル加工、プレス打ち抜き、くり抜き、熱プレス加工等の機械的加工を施すようにすることもできる。
【００３０】
このような敷物装置１によれば、中間層４において、肩甲骨周辺や、仙骨周辺に対応する箇所Ｅ１，Ｅ２の反発性を緩和し、人体の肩甲骨周辺や、仙骨周辺からの体圧を受け止め、体圧を好適に分散することができる。
【００３１】
さらに本発明にかかる敷物装置１では、図７に示すように様々な素材の分割片４ａ〜４ｅによって構成した中間層４を、表地６の内側の、下層３と上層５間に、一層出し入れしやすくするために、分割片４ａ〜４ｅをそれぞれ予め収容袋Ｓ４ａ，Ｓ４ｂ，Ｓ４ｃ，Ｓ４ｄ，Ｓ４ｅに収容して出し入れするようにすることもできる。なお、これら収容袋Ｓ４ａ〜Ｓ４ｅを、前記表地６内に収容する際、互いにずれないようにするために、隣接する袋同士を面ファスナ（図示省略）によって係着連結するようにしてもよい。
【００３２】
このような敷物装置１によれば、予め収容袋Ｓ４ａ〜Ｓ４ｅに分割片４ａ〜４ｅを収容した状態で表地６内に収容するので、分割片４ａ〜４ｅ同士が直接触れることはなく円滑に出し入れができ、特に一部の箇所の分割片を交換する際の作業が容易となり、一層、取扱い性が向上する。
【００３３】
【発明の効果】
本発明によれば、
（１）使用者がマットレス上の表地に乗っても、衝撃緩和用素材で構成した下層で乗ったときの衝撃が吸収され、また中間層によって、偏荷重のかかる背中の体圧を好適に分散すると共に、体圧が分散されることで、寝姿勢保持が図られる。さらに、低摩擦性の素材で構成した上層によって、触感に違和感はなく、快適性の高いものとすることができる。
（２）中間層を、異なる反発性の素材よりなる、複数の分割片で構成したことで、広く健常者から床ずれ対策を要する患者まで、その使用者に対応した、体圧分散性を調整することができ、いっそう効果的な体圧分散、および寝姿勢の保持が図られる。
（３）中間層を、同様の反発性を有する素材で構成した分割片と、機械的加工を施して反発性を相違させた分割片とを、選択的に交換して中間層として構成し、健常者から床ずれ対策を要する患者まで使用者に対応した、反発性を調整することができる。
（４）中間層において、肩甲骨周辺や、仙骨周辺に対応する箇所の反発性を緩和し、人体の肩甲骨周辺や、仙骨周辺からの体圧を受け止め、体圧を好適に分散することができる。
（５）下層と中間層と上層とを、互いに接着して表地で覆ったことで、一体感あるマットレスとして使用することができ、取扱い性が向上する。
（６）下層と中間層と上層とを、外枠体により一体的に外周部を取り囲んで保持して、表地で覆う構成としたことにより、取扱い性が向上する。
（７）表地の内側に、下層、中間層、上層をそれぞれの所定の収容室に装入して保持するようにしたので、それぞれの層を適宜、交換するような作業が簡単である。
（８）収容袋に分割片を収容した状態で、それぞれ選択的に交換して中間層として構成し、使用者に対応した、体圧分散性を調整することができる。
（９）表地内に収容した下層、中間層および上層に、外部からの水分、汚れ等が侵入するのを遮断して、感染予防に寄与することができ、且つ清拭等、清掃も容易である。
【００３４】
【図面の簡単な説明】
【図１】
本発明にかかる敷物装置の一例を示す、外観斜視図である。
【図２】
図１に示す敷物装置の断面説明図である。
【図３】
図１に示す敷物装置における中間層の平面説明図である。
【図４】
本発明にかかる敷物装置の別例を示す、側面説明図である。
【図５】
本発明にかかる敷物装置における表地の別例を示す、外観斜視図である。
【図６】
本発明における敷物装置における中間層の平面説明図である。
【図７】
本発明にかかる敷物装置における表地と、中間層の収容構造を示した、外観斜
視図である。
【符号の説明】
１　　　　　　　　　　　　　　　　　　　　マットレス装置
２　　　　　　　　　　　　　　　　　　　　載置台
３　　　　　　　　　　　　　　　　　　　　下層
４　　　　　　　　　　　　　　　　　　　　中間層
４ａ〜４ｅ　　　　　　　　　　　　　　　　分割片
５　　　　　　　　　　　　　　　　　　　　上層
６　　　　　　　　　　　　　　　　　　　　表地
７　　　　　　　　　　　　　　　　　　　　支持脚
８　　　　　　　　　　　　　　　　　　　　外枠体
９　　　　　　　　　　　　　　　　　　　　仕切
Ｃ３，Ｃ４ａ，Ｃ４ｂ，Ｃ４ｃ，Ｃ４ｄ，Ｃ４ｅ，Ｃ５　　収容室
Ｅ１　　　　　　　　　　　　　　　　　　　　肩甲骨に対応する箇所
Ｅ２　　　　　　　　　　　　　　　　　　　　仙骨周辺に対応する箇所
Ｓ４ａ，Ｓ４ｂ，Ｓ４ｃ，Ｓ４ｄ，Ｓ４ｅ　　　　　　　収容袋
【図１】
2004049352.tif 000003
【図２】
2004049352.tif 000004
【図３】
2004049352.tif 000005
【図４】
2004049352.tif 000006
【図５】
2004049352.tif 000007
【図６】
2004049352.tif 000008
【図７】
2004049352.tif 000009